(57)【特許請求の範囲】
【請求項１】
コイン収納部分を備えた財布であって、
前記コイン収納部分は、四角形であり、当該四角形を構成する４つの辺のうち、１つの辺の一部が開口し、当該開口している辺がコインを入れる挿入口となるコイン保持空間を有しており、
前記コイン収納部分と財布本体とに着脱部材が存在し、
前記コイン挿入口の内側方向に前記コイン収納部分を折り込み、当該着脱部材により、前記コイン収納部分と財布本体との、固定と着脱が可能であること、
を特徴とする財布。
【請求項２】
コイン収納部分と、
カード収納部分と、を備えた財布であって、
前記コイン収納部分は、四角形であり、当該四角形を構成する４つの辺のうち、１つの辺の一部が開口し、当該開口している辺がコインを入れる挿入口となるコイン保持空間を有しており、
前記コイン収納部分と財布本体とに着脱部材が存在し、
前記コイン挿入口の内側方向に前記コイン収納部分を折り込み、当該着脱部材により、前記コイン収納部分と財布本体との、固定と着脱が可能であり、
前記カード収納部分は、四角形であり、当該四角形を構成する４つの辺のうち、１つの辺が開口し、当該開口している辺がカードを入れる挿入口となるカード保持空間を有しており、
前記カード収納部分と、前記コイン収納部分とは、重複面積がないこと、
を特徴とする財布。
【請求項３】
コイン収納部分と、
カード収納部分と、
お札収納部分と、を備えた二つ折り財布であって、
前記コイン収納部分は、四角形であり、当該四角形を構成する４つの辺のうち、１つの辺の一部が開口し、当該開口している辺がコインを入れる挿入口となるコイン保持空間を有しており、
前記コイン収納部分と財布本体とに着脱部材が存在し、
前記コイン挿入口の内側方向に前記コイン収納部分を折り込み、当該着脱部材により、前記コイン収納部分と財布本体との、固定と着脱が可能であり、
前記カード収納部分は、四角形であり、当該四角形を構成する４つの辺のうち、１つの辺が開口し、当該開口している辺がカードを入れる挿入口となるカード保持空間を有しており、
前記カード収納部分と、前記コイン収納部分とは、重複面積がなく、
前記お札収納部分は、前記カード収納部分を包み込む形状であること、
を特徴とする二つ折り財布。
【請求項４】
前記カード収納部分を包み込む側である、前記お札収納部分の内側に、お札を押さえ安定させる札押さえ部を採用し、
財布を二つ折りにした場合に、当該札押さえ部と重複する前記カード収納部分には、切込みが入れられていること、
を特徴とする請求項３記載の二つ折り財布。
【請求項５】
前記コイン収納部分の素材と、
前記カード収納部分の素材と、が、
１枚の素材又は２枚の素材を貼り合わせた素材、
で構成されること、
を特徴とする請求項２記載の財布。
【請求項６】
前記お札収納部分の内側に、小物を当該お札収納部分の内部に収納するための挿入口が設けられており、
前記札押さえ部分が、当該挿入口の蓋にもなっていること、
を特徴とする請求項４記載の二つ折り財布。
【発明の詳細な説明】
【技術分野】
【０００１】
本発明は、財布に関するものである。特に、薄さと使い易さの両立を追求し、携帯性、機能性のバランスを考慮した、二つ折財布に関するものである。
【背景技術】
【０００２】
従来の財布では、貨幣を保持するコイン収納部分と、クレジットカードやポイントカード等を保持するカード収納部分と、お札を保持するお札収納部分と、を備えた財布が多い。
【０００３】
しかし、この一般的な財布では、どうしても財布自体が分厚くなりがちである。特に、ズボンのポケットや、スーツの内側ポケット、等に財布を収納する場合、ポケットが膨らみ、ズボンやスーツのシルエットの崩れや、不快感に繋がる。
【０００４】
女性は、比較的近い場所であっても財布を収納するバッグを持ち歩くことも多い。一方、男性は、バッグを持たずに外出する事もあり、そのような場合、財布を手で持って移動することもあり、安全性や利便性の点で問題がある。
【０００５】
コイン、もしくはお札とカードだけを収納できる財布であれば比較的薄く、ズボンのポケットや、スーツの内側ポケット、等に収納できる。しかし、財布に入らないコイン、お札やカードを、単にポケットに入れて持ち歩くのは、やはり安全性や利便性の点で問題がある。
【０００６】
さらに、財布の薄さを実現しようとすると、面積が大きくなる傾向があり、ポケットからはみ出す、という問題がある。
【０００７】
また、従来の財布は、財布のお札収納部分とコイン収納部分を同時に開くことが困難で、同時にお札とコインを一覧できないため、お札やコインの出し入れの際に余分な手間がかかるという問題がある。
【０００８】
プライベートユースでも、ビジネスユースでも、パンツのポケットや、スーツの内側ポケット等に収納しても、膨らみにくく、使い易い財布の実現が望まれている。
【０００９】
なお、本願の特許出願人は、本願に係る発明に関して、特許文献を特に知らない。
【発明の概要】
【発明が解決しようとする課題】
【００１０】
本願に係る発明の課題は、主に男性が好むような、ズボンのポケットや、スーツの内側ポケット等に収納した際に、はみ出させずに、ポケットが膨らみにくく使い易い、携帯性、機能性に優れた財布の実現である。
【課題を解決するための手段】
【００１１】
１、
【００１２】
（１）
そこで、本発明に係る財布は、
コイン収納部分を備えた財布であって、
前記コイン収納部分は、四角形であり、当該四角形を構成する４つの辺のうち、１つの辺の一部が開口し、当該開口している辺がコインを入れる挿入口となるコイン保持空間を有しており、
前記コイン収納部分と財布本体とに着脱部材が存在し、
前記コイン挿入口の内側方向に前記コイン収納部分を折り込み、当該着脱部材により、前記コイン収納部分と財布本体との、固定と着脱が可能であること、
を特徴とする財布である。
【００１３】
（２）
「コイン収納部分」とは、小銭などの貨幣を収納する財布の部分であり、内側に存在するコイン保持空間に、小銭などの貨幣を収納できる。
「コイン収納部分が四角形」とは、コインを収納する厚みは存在するため、平面的に見た場合に概ね四角形である、という程度の意味である。
「四角形を構成する４つの辺のうち、１つの辺の一部が開口し、当該開口している辺がコインを入れる挿入口となる」とは、少なくとも１辺がコインを挿入する挿入口としての機能を果たす程度に開口しており、他の３辺は、コイン保持空間としての役割を果たすことができるように、コインが漏れ出ない程度に閉じられていることを意味する。
「着脱部材」の例として、ボタンやホック等が該当する。
「着脱部材により、前記コイン収納部分と財布本体との、固定と着脱が可能である」とは、コイン収納部分の挿入口からコインが漏れ出ないように、着脱部材により、漏れ出ない程度の固定ができ、コインも取り出せる程度の着脱ができること、を意味する。
【００１４】
（３）  本発明により、財布の構成要素のうち、厚みの主な原因となるコイン収納部分の厚みを抑えることができる。
【００１５】
２、
【００１６】
（１）
また、他の発明に係る財布は、
上記構成に加え、カード収納部分と、を備えた財布であって、
前記カード収納部分は、四角形であり、当該四角形を構成する４つの辺のうち、１つの辺が開口し、当該開口している辺がカードを入れる挿入口となるカード保持空間を有しており、
前記カード収納部分と、前記コイン収納部分とは、重複面積がないこと、
を特徴とする財布である。
【００１７】
（２）
「カード収納部分」とは、クレジットカード、ポイントカード等のカード類を収納する財布の部分であり、内側に存在するカード保持空間に、カード類を収納できる。
「四角形を構成する４つの辺のうち、１つの辺の一部が開口し、当該開口している辺がカードを入れる挿入口となる」とは、少なくとも１辺がカードを挿入する挿入口としての機能を果たし、他の３辺は、カード保持空間としての役割を果たすように、カードが漏れ出ない程度に閉じられていることを意味する。
「前記カード収納部分と、前記コイン収納部分とは、重複面積がない」とは、財布の中で厚みの原因となるカード収納部分と、コイン収納部分とに、重複面積を有さなくすることにより、厚みをおさえるという意味である。
【００１８】
（３）
本発明により、財布の構成要素のうち、厚みの主な原因となるカード収納部分と、コイン収納部分とに、重複面積を有さず構成でき、全体として厚みを抑えることができる。
【００１９】
３、
【００２０】
（１）
また、他の発明に係る財布は、
上記構成に加え、お札収納部分と、を備えた二つ折り財布であって、
前記お札収納部分は、前記カード収納部分を包み込む形状であること、
を特徴とする二つ折り財布である。
【００２１】
（２）
「お札収納部分」とは、紙幣を収納する財布の部分であり、前記カード収納部分を包み込む形状となっている。
【００２２】
（３）
本発明では、財布の構成要素のうち、厚みの主な原因となるカード収納部分と、コイン収納部分とのうち、コイン収納部分よりは厚みを抑えることができるカード収納部分を包み込む形状として、お札収納部分を構成している。
よって、コイン収納、カード収納、お札収納、の機能を備えた二つ折り財布全体として、容積をコンパクトに抑えることができる。
特に、二つ折りにした際に、前記お札収納部分の片側（カード収納部分を包み込む側）が、前記コイン収納部分と、重複面積がないように構成すると、厚みを抑えるのに役立つ。
さらに、財布のお札収納部分とコイン収納部分を同時に開いて、同時にお札とコインを一覧できるため、お札やコインの出し入れが便利である。
【００２３】
４、
【００２４】
（１）
また、他の発明に係る財布は、
前記カード収納部分を包み込む側である、前記お札収納部分の内側に、お札を押さえ安定させる札押さえ部を採用し、
財布を二つ折りにした場合に、当該札押さえ部と重複する前記カード収納部分には、切込みが入れられていること、
を特徴とする二つ折り財布である。
【００２５】
（２）
「札押さえ部」とは、お札を収納した際の安定性を確保するためのお札収納部分に備えられた部位である。
「財布を二つ折りにした場合に、当該札押さえ部と重複する前記カード収納部分には、切込みが入れられている」とは、カード収納部分からカードが漏れ出ない程度に、財布を二つ折りにした場合に札押さえ部と重複するカード収納部分に切込みが入っている、という意味である。
【００２６】
（３）
本発明では、コイン収納、カード収納、お札収納、の機能を備えた二つ折り財布全体として、容積をコンパクトに抑えることができる。
また、重複面積を生じる、カード収納部分及びお札収納部分の厚みを押さえつつ、お札を収納した際の安定性を確保できる。
特に、財布を二つ折りにした場合に、札押さえ部と重複するカード収納部分には、切込みが入れられているため、二つ折りにした状態であっても、厚みを抑えることができる。
【００２７】
５、
【００２８】
（１）
また、他の発明に係る財布は、
前記コイン収納部分の素材と、
前記カード収納部分の素材と、が、
１枚の素材又は２枚の素材を貼り合わせた素材、
で構成されること、
を特徴とする財布である。
【００２９】
（２）
「１枚の素材」とは、例えば、皮や合皮が素材である場合は、１枚の皮又は合皮から切り出した素材等である。
「２枚の素材を貼り合わせた素材」とは、例えば、皮や合皮が素材である場合は、１枚の皮又は合皮から切り出した素材を２枚貼り合わせた素材等である。
【００３０】
（３）
本発明では、財布の構成要素のうち、厚みの主な原因となるカード収納部分と、コイン収納部分とについて、多数の素材生地で構成されるのではなく、１枚の素材又は２枚の素材を貼り合わせた素材で構成されているため、コンパクトな財布が実現できる。
【００３１】
さらに、カード収納部分と、コイン収納部分と、だけでなく、お札収納部分や、財布本体も含めて、１枚の素材又は２枚の素材を貼り合わせた素材、とすることもできる。この場合には、財布の構成要素のうち、カード収納部分と、コイン収納部分と、お札収納部分について、多数の素材生地で構成されるのではなく、１枚の素材又は２枚の素材を貼り合わせた素材で構成されているため、コンパクトな財布が実現できる。
特に、カード収納部分とお札収納部分を繋ぐ部分の縫製が必要なくなるため、カード収納部分の片方に、縫製のために出来るマチがなくなり、コンパクトな財布の幅が実現できる。
【００３２】
６、
【００３３】
（１）
また、他の発明に係る財布は、
前記お札収納部分の内側に、小物を当該お札収納部分の内部に収納するための挿入口が設けられており、
前記札押さえ部分は、当該挿入口の蓋にもなっていること、
を特徴とする二つ折り財布である。
【００３４】
（２）
財布に収納する「小物」の具体例としては、鍵、お守り、等が考えられる。
【００３５】
（３）
本発明により、財布本体の厚みを押さえつつ、小物を収納するスペースを合理的に実現し、収納している小物が落ちにくい収納スペースを確保できる。
【発明の効果】
【００３６】
本願に係る財布により、主に男性が好むような、ズボンのポケットや、スーツの内側ポケット、等にはみ出させずに収納した際にポケットが膨らみにくく使い易い、携帯性、機能性、デザイン性に優れた財布が実現できる。
【図面の簡単な説明】
【００３７】
【図１】カード収納部分と、コイン収納部分と、お札収納部分と、キー収納部分と、から構成される、本発明に係る財布を展開した図である。
【図２】図１の本発明に係る財布を、折り畳み、縫製し、財布の形に形成した使用図である。
【図３】（ａ）は、ポケット等に収納するために、図２の本発明に係る財布を二つ折りにした状態の図である。  （ｂ）は、図２の本発明に係る財布のキー収納部分に、キーを収納した使用図である。
【発明を実施するための形態】
【００３８】
図１は、カード収納部分と、コイン収納部分と、お札収納部分と、キー収納部分と、から構成される、本発明に係る財布を展開した図である。
当該財布の素材は、皮又は合皮である。図１の形状の皮又は合皮を、２枚重ねて貼り合わせ縫製する事により、図１の財布が構成されている。２枚重ねるのは、手触りを良くするためや、強度を確保するためである。
お札収納部分には、札押さえ部として、皮又は合皮が、財布本体の皮又は合皮に縫い付けられている。
【００３９】
図１の財布を、図１の矢印の方向に折り畳み、縫製作業を行い、財布の形に形成した使用図が図２である。点線部分が縫製部分にあたる。
図１及び２では、札押さえ部の素材をキー収納部分に折り返すことにより、キー収納部分を構成している。しかし、皮や合皮は、大きくすれば大きくするほど、ロスが大きくなる不都合がある。
そこで、コスト面を考えて、札押さえ部が存在する素材シートと、札押さえ部の２箇所と、については、財布本体の皮又は合皮とは別の、切り取った皮又は合皮により構成することも考えられる。
【００４０】
コイン収納部分は、四角形であり、当該四角形を構成する４つの辺のうち、１つの辺が開口し、当該開口している辺がコインを入れる挿入口となるコイン保持空間を有している。
コイン収納部分と財布本体とに着脱部材としてのボタンが存在し、コイン挿入口の内側方向にコイン収納部分を折り込み、着脱部材としてのボタンにより、コイン収納部分と財布本体との、固定と着脱が可能になっている。
コイン保持空間をどの位の大きさにするかは任意であるが、日本の貨幣の種類とスペースの観点から、１５枚位のコインが保持できる大きさとすることが考えられる。
【００４１】
カード収納部分は、四角形であり、当該四角形を構成する４つの辺のうち、１つの辺が開口し、当該開口している辺がカードを入れる挿入口となるカード保持空間を有している。
カード保持空間をどの位の大きさにするかは任意であるが、通常の保有するカードの枚数やスペースの観点から、５枚位のカードが保持できる大きさとすることが考えられる。
【００４２】
お札収納部分は、カード収納部分を包み込む形状となっており、カード収納部分を包み込む側である、前記お札収納部分の内側に、お札を押さえ安定させる札押さえ部を採用している。
この札押さえ部は、財布本体に縫い付けられている。
また、財布を二つ折りにした場合に、当該札押さえ部と重複するカード収納部分には、カード収納部分の生地に切込みが入れられている。
【００４３】
図２の財布を、図２の矢印の方向に折り畳むと、図３（ａ）の、ポケット等に収納するために財布を二つ折りにした状態の図になる。
二つ折りにした際に、カード収納部分と、コイン収納部分とは、重複面積がなく、全体として省スペース化が図れている。
また、財布を二つ折りにした場合に、札押さえ部と重複するカード収納部分には、切込みが入れられているため、二つ折りにした状態であっても、厚みを抑えることができる。
さらに、財布のお札収納部分とコイン収納部分を同時に開いて、同時にお札とコインを一覧できるため、お札やコインの出し入れが便利である。
【００４４】
図３（ｂ）は、図２の本発明に係る財布のキー収納部分に、キーを収納した使用図である。
お札収納部分の内側に、小物を当該お札収納部分の内部のキー収納部分に収納するための挿入口が設けられており、札押さえ部分が、当該挿入口の蓋にもなっている。
キー挿入部分には、キーだけでなく、お守り、アクセサリ等の各種の小物を収納する事ができる。
【産業上の利用可能性】
【００４５】
本発明に係る財布を製造、販売することにより、産業の発達に寄与することができる。
【図１】
0005453703.tif 000002
【図２】
0005453703.tif 000003
【図３】
0005453703.tif 000004